(57)【要約】【課題】点灯状態の表示装置内に雨水等が侵入しても、その美観が大きく損なわれる事態を回避可能とする。【解決手段】正面視長板状の基体２に取り付けられた導光板４，４における表面側に表示媒体を配設可能に構成された看板装置１であって、ＬＥＤ基板３からの光が幅方向における端面から入射可能に幅方向における両端部が両差込み用溝部１３，１３内に差し込まれた状態で導光板４，４が基体２に取り付けられ、基体２の本体部１１は、導光板４，４における面Ｆ４ａに接して本体部１１と導光板４，４との間に隙間Ｓ１ａを形成する第１凸部（リブ１１ａ、ネジ２１のネジ頭およびナット２２）が面Ｆ１１ａ，Ｆ１１ｂに配設されて構成されている。【選択図】図２
2018054768.tif 000002
【特許請求の範囲】
【請求項１】
正面視長板状の基体と、当該基体の幅方向における両端部の少なくとも一方に取り付けられた帯状光源体と、前記基体における表面側の一面に沿って配置されて当該基体に取り付けられると共に前記帯状光源体から発せられた光を当該基体の前記幅方向における各部に導光する導光板とを備え、当該導光板における表面側に表示媒体を配設可能に構成された表示装置であって、
前記基体は、正面視長板状の本体部、および当該本体部の前記幅方向における両端部に設けられて前記導光板の幅方向における両端部の前記表面側を覆う一対の縁板部を備えて当該本体部の当該両端部および当該両縁板部によって当該導光板を差込み可能な一対の差込み用溝部が形成され、
前記帯状光源体は、前記一対の差込み用溝部の少なくとも一方に収容され、
前記導光板は、前記差込み用溝部内に収容された前記帯状光源体からの光が前記幅方向における端面から入射可能に当該幅方向における前記両端部が前記両差込み用溝部内に差し込まれた状態で前記基体に取り付けられ、
前記本体部は、前記両差込み用溝部内に差し込まれた状態の前記導光板における裏面側の一面に接して当該本体部と当該導光板との間に隙間を形成する第１凸部が当該導光板と対向する一面に配設されて構成されている表示装置。
【請求項２】
前記基体は、前記幅方向における一方側の部位を構成する第１部材、および当該幅方向における他方側の部位を構成する第２部材の両部材を少なくとも含む複数の基体構成部材が互いに接合されて一体化されることで正面視長板状に形成されると共に、前記各基体構成部材の接合部位を前記本体部の厚み方向でそれぞれ貫通させられて当該各基体構成部材を固定する締結部材の頭部が前記第１凸部として機能するように当該本体部から突出させられている請求項１記載の表示装置。
【請求項３】
前記導光板における前記表面側の一面に沿って配置されて当該導光板と共に前記表示媒体を保持する表面板を備え、
前記基体は、前記導光板および前記表面板を差込み可能に前記両差込み用溝部が形成されると共に、当該導光板および当該表面板の間に位置させられて当該導光板および当該表面板の間に隙間を生じさせた状態を維持すると共に前記本体部と共に当該導光板を保持し、かつ前記縁板部と共に当該表面板を保持する第２凸部を備えている請求項１または２記載の表示装置。
【請求項４】
前記基体、前記導光板および前記表面板における長手方向の端部を覆う蓋体を備え、
前記蓋体には、前記導光板と前記表面板との間に差し込まれて当該導光板と当該表面板との間に隙間を生じさせた状態を維持する第３凸部が配設されている請求項３記載の表示装置。
【発明の詳細な説明】
【技術分野】
【０００１】
本発明は、正面視長板状の基体における幅方向の端部に配置された帯状光源体から出射された光を導光板によって幅方向の各部に導光して導光板の表面側に配設されている表示媒体を透過させるように構成された表示装置に関するものである。
【背景技術】
【０００２】
この種の表示装置として、出願人は、表示媒体（広告媒体）を背面側から照らして表示することが可能な看板装置を下記の先行出願において開示している。この看板装置は、基体、一対のＬＥＤ基板、導光板、カバー板、および一対のキャップ（蓋体）と、ＬＥＤ基板に対して電力を供給するコントローラユニットとを備えて構成されている。
【０００３】
この場合、基体は、主材、および一対のＬＥＤ取付け具を備えて全体として正面視長板状に形成されている。また、主材は、本体部と、本体部の両端部に設けられて導光板やカバー板の幅方向における両端部を覆う一対の縁板部とが一体的に形成されて構成されている。さらに、ＬＥＤ取付け具は、ＬＥＤ基板を取り付けた状態で主材における差込み用溝部に取り付けられることでＬＥＤ基板を主材に取り付けることができるように構成されている。また、導光板は、ＬＥＤ基板から発せられた光を基体の幅方向における各部に導光可能に基体における本体部の表面側に配置され、カバー板は、導光板の表面側に配置されて導光板と共に表示媒体を保持可能に基体に取り付けられている。
【０００４】
この看板装置の組立てに際しては、まず、主材とは別体に形成されたＬＥＤ取付け具にＬＥＤ基板を取り付けた後に、主材における差込み用溝部内にＬＥＤ取付け具を収容して固定する。これにより、基体に対するＬＥＤ基板の取り付けが完了する。次いで、幅方向における両端部を差込み用溝部に差し込むようにして導光板を基体に取り付ける。これにより、基体における主材の本体部の表面と導光板の裏面とが面的に接した状態となり、基体と導光板とが一体化される。続いて、幅方向における両端部を差込み用溝部に差し込むようにしてカバー板を基体に取り付ける。これにより、導光板の表面とカバー板の裏面との間に表示媒体を挿入可能な隙間が形成された状態で、基体とカバー板とが一体化される。次いで、基体、ＬＥＤ基板、導光板およびカバー板の長手方向における両端部にキャップをそれぞれ装着する。これにより、看板装置が完成する。
【０００５】
一方、この看板装置の使用に際しては、両キャップのいずれか一方を取り外して導光板およびカバー板の間に表示媒体を差し込んだ後に、取り外されているキャップを基体（本体部）に再び装着する。これにより、ＬＥＤ基板から発せられて導光板によって導光された光によって表示媒体を裏面側から照らすことが可能な状態となる。
【先行出願】
【０００６】
特願２０１６−１４３９２７
【発明の概要】
【発明が解決しようとする課題】
【０００７】
ところが、出願人が開示している看板装置には、以下のような改善すべき課題が存在する。すなわち、出願人が開示している看板装置では、両端部を差込み用溝部に差し込むようにして導光板を基体に取り付けることによって基体と導光板とが一体化される構成が採用されている。これにより、出願人が開示している看板装置では、ネジ留め等によって導光板を基体（主材）に固定する構成と比較して、導光板が基体（主材）から容易に離脱することのない製品を短時間で容易に製造することが可能となっている。
【０００８】
しかしながら、出願人が開示している看板装置では、基体と導光板とを一体化させた際に基体（主材）における本体部の表面と導光板の裏面とが面的に接した状態となるように構成されている。このため、屋外等での使用に際して基体やカバー板とキャップとの間から雨水等が装置内に侵入したときに、侵入した雨水等が、毛細管現象によって基体と導光板との間の極く小さな隙間に侵入し易く、また、侵入した雨水等が基体と導光板との間の隙間から離脱し難い傾向がある。
【０００９】
この場合、出願人が開示している看板装置では、その長手方向（上下方向）の端部にキャップが取り付けられているため、装置内に侵入する雨水等の量は比較的少量となっている。したがって、装置内に雨水等が侵入したときには、表示機能を十分に発揮可能に十分に大きく形成されている看板装置（基体や導光板が十分に広い看板装置）内に少量の雨水等が侵入することになるため、正面視における全域において基体と導光板との間の隙間に雨水等が侵入した状態となるのではなく、その一部の領域のみにおいて基体と導光板との間の隙間に雨水等が侵入した状態となる。
【００１０】
このため、雨水が浸入した状態の看板装置を正面側から見たときには、基体と導光板との間の隙間に雨水等が存在する領域（導光板の周縁部に近い部位：以下、「雨水等侵入領域」ともいう）と、基体と導光板との間の隙間に雨水等が存在しない領域（導光板の中央部寄りの部位：以下、「雨水等非侵入領域」ともいう）とが存在する状態となる。かかる状態では、雨水等侵入領域においては、導光板の裏面側（基体側）に出射された光が上記の隙間に存在している雨水等を透過した後に基体によって反射され、反射された光が雨水等を透過してから再び導光板に入射して導光板の正面側に出射されるのに対し、雨水等非侵入領域においては、導光板の裏面側（基体側）に出射された光が上記の隙間に存在している大気（空気）を透過した後に基体によって反射され、反射された光が大気を透過してから再び導光板に入射して導光板の正面側に出射されることとなる。
【００１１】
このため、出願人が開示している看板装置では、雨水等の光屈折率と大気（空気）の光屈折率との相違に起因して、雨水等侵入領域と雨水等非侵入領域とで導光板の裏面側に出射された光の進行方向に差異が生じる結果、看板装置を正面から見たときに、明るい部位（ＬＥＤ基板からの光の出射量が多い部位）と、暗い部位（ＬＥＤ基板からの光の出射量が少ない部位）とが存在する状態となり、点灯状態の看板装置の美観が損なわれるおそれがある。このため、この点を改善するのが好ましい。
【００１２】
本発明は、かかる改善すべき課題に鑑みてなされたものであり、点灯状態の表示装置内に雨水等が侵入しても、その美観が大きく損なわれる事態を回避し得る表示装置を提供することを主目的とする。
【課題を解決するための手段】
【００１３】
上記目的を達成すべく、請求項１記載の表示装置は、正面視長板状の基体と、当該基体の幅方向における両端部の少なくとも一方に取り付けられた帯状光源体と、前記基体における表面側の一面に沿って配置されて当該基体に取り付けられると共に前記帯状光源体から発せられた光を当該基体の前記幅方向における各部に導光する導光板とを備え、当該導光板における表面側に表示媒体を配設可能に構成された表示装置であって、前記基体は、正面視長板状の本体部、および当該本体部の前記幅方向における両端部に設けられて前記導光板の幅方向における両端部の前記表面側を覆う一対の縁板部を備えて当該本体部の当該両端部および当該両縁板部によって当該導光板を差込み可能な一対の差込み用溝部が形成され、前記帯状光源体は、前記一対の差込み用溝部の少なくとも一方に収容され、前記導光板は、前記差込み用溝部内に収容された前記帯状光源体からの光が前記幅方向における端面から入射可能に当該幅方向における前記両端部が前記両差込み用溝部内に差し込まれた状態で前記基体に取り付けられ、前記本体部は、前記両差込み用溝部内に差し込まれた状態の前記導光板における裏面側の一面に接して当該本体部と当該導光板との間に隙間を形成する第１凸部が当該導光板と対向する一面に配設されて構成されている。
【００１４】
請求項２記載の表示装置は、請求項１記載の表示装置において、前記基体は、前記幅方向における一方側の部位を構成する第１部材、および当該幅方向における他方側の部位を構成する第２部材の両部材を少なくとも含む複数の基体構成部材が互いに接合されて一体化されることで正面視長板状に形成されると共に、前記各基体構成部材の接合部位を前記本体部の厚み方向でそれぞれ貫通させられて当該各基体構成部材を固定する締結部材の頭部が前記第１凸部として機能するように当該本体部から突出させられている。
【００１５】
請求項３記載の表示装置は、請求項１または２記載の表示装置において、前記導光板における前記表面側の一面に沿って配置されて当該導光板と共に前記表示媒体を保持する表面板を備え、前記基体は、前記導光板および前記表面板を差込み可能に前記両差込み用溝部が形成されると共に、当該導光板および当該表面板の間に位置させられて当該導光板および当該表面板の間に隙間を生じさせた状態を維持すると共に前記本体部と共に当該導光板を保持し、かつ前記縁板部と共に当該表面板を保持する第２凸部を備えている。
【００１６】
請求項４記載の表示装置は、請求項３記載の表示装置において、前記基体、前記導光板および前記表面板における長手方向の端部を覆う蓋体を備え、前記蓋体には、前記導光板と前記表面板との間に差し込まれて当該導光板と当該表面板との間に隙間を生じさせた状態を維持する第３凸部が配設されている。
【発明の効果】
【００１７】
請求項１記載の表示装置によれば、基体における本体部の導光板と対向する一面に、導光板における裏面側の一面に接して本体部と導光板との間に隙間を形成する第１凸部を配設したことにより、表示装置内に雨水等が侵入したとしても、本体部および導光板の間の隙間内への毛細管現象による雨水等の侵入が生じ難く、また、本体部および導光板の間の隙間内に雨水等が侵入したとしても、侵入した雨水等が自重によって落下して隙間から離脱し易いため、雨水等侵入領域および雨水等非侵入領域の存在によって明るい部位と暗い部位とが生じた状態となるのを好適に回避することができる。これにより、点灯状態の表示装置内に雨水等が侵入したとしても、その美観が大きく損なわれる事態を回避して全域において均一な明るさで表示媒体を照らして視認させることができる。
【００１８】
請求項２記載の表示装置によれば、複数の基体構成部材を接合して一体化することで正面視長板状の基体を構成すると共に、各基体構成部材を固定する締結部材の頭部を本体部から突出させて第１凸部として機能させる構成を採用したことにより、基体を分割構造としたことで、基体を一体構造とした場合よりも容易に製作することができ、これにより、基体の部品コストを十分に低減して表示装置の製造コストを十分に低減することができるだけでなく、締結部材の頭部によって形成される隙間の存在により、雨水等侵入領域および雨水等非侵入領域の存在によって明るい部位と暗い部位とが生じた状態となるのを好適に回避することができる。
【００１９】
請求項３記載の表示装置によれば、導光板および表面板の間に位置させられて導光板および表面板の間に隙間を生じさせた状態を維持すると共に、本体部と共に導光板を保持し、かつ縁板部と共に表面板を保持する第２凸部を備えたことにより、導光板と表面板との間にも第２凸部の幅と同程度の十分に広い隙間を生じさせることができるため、導光板と表面板との間の隙間内に表示媒体を容易に差し込むことができるだけでなく、表面板を備えた構成の表示装置内に雨水等が侵入したとしても、導光板および表面板の間の隙間内への毛細管現象による雨水等の侵入が生じ難く、また、導光板および表面板の間（隙間内）に雨水等が侵入したとしても、侵入した雨水等が自重によって落下して隙間から離脱し易いため、雨水等侵入領域および雨水等非侵入領域の存在によって明るい部位と暗い部位とが生じた状態となるのを好適に回避することができる。これにより、表面板を備えた表示装置において点灯状態の表示装置内に雨水等が侵入したとしても、その美観が大きく損なわれる事態を回避して全域において均一な明るさで表示媒体を照らして視認させることができる。
【００２０】
請求項４記載の表示装置によれば、基体、導光板および表面板における長手方向の端部を覆う蓋体に、導光板および表面板の間に差し込まれて導光板および表面板の間に隙間を生じさせた状態を維持する第３凸部を配設したことにより、第２凸部のみによって導光板と表面板との間に隙間を生じさせる構成とは異なり、第３凸部の存在によって隙間を生じさせた状態を好適に維持することができるため、全域において均一な明るさで表示媒体を照らして視認させることができる状態を長期に亘って好適に維持することができる。
【図面の簡単な説明】
【００２１】
【図１】看板装置１の外観斜視図である。
【図２】看板装置１の幅方向における断面図である。
【図３】看板装置１の分解図である。
【図４】看板装置１の幅方向における端部の断面図である。
【図５】看板装置１における第１部材２０ａ（第２部材２０ｂ）と第３部材２０ｃとの接合部位の断面図である。
【図６】看板装置１の長手方向における端部の断面図である。
【図７】ＬＥＤ基板３の平面図である。
【図８】ＬＥＤ取付け具３０にＬＥＤ基板３を取り付けた状態を説明するための説明図である。
【図９】図８に示すＬＥＤ取付け具３０を主材１０に取り付けた状態を説明するための説明図である。
【図１０】図９に示す主材１０に導光板４，４を取り付けた状態を説明するための説明図である。
【図１１】図１０に示す主材１０にカバー板５，５を取り付けた状態を説明するための説明図である。
【図１２】看板装置１Ａの幅方向における断面図である。
【図１３】看板装置１Ａの分解図である。
【図１４】看板装置１Ａの幅方向における端部の断面図である。
【図１５】看板装置１Ａにおけるリブ１１ａの形成部位の断面図である。
【図１６】看板装置１Ａにおける第１部材２０ｄと第２部材２０ｅとの接合部位の断面図である。
【図１７】看板装置５１の幅方向における断面図である。
【図１８】看板装置５１における蓋体５６の平面図である。
【図１９】看板装置５１の幅方向における中央部の断面図である。
【図２０】看板装置５１の幅方向における端部の断面図である。
【図２１】看板装置５１の長手方向における端部の断面図である。
【発明を実施するための形態】
【００２２】
以下、本発明に係る表示装置の実施の形態について、添付図面を参照して説明する。
【００２３】
図１に示す看板装置１は、「表示装置」の一例であって、表示媒体（広告媒体：紙やフィルムに任意の図柄や記号を印刷したもの：図示せず）を背面側から照らして表示することができるように構成されている。この場合、本例の看板装置１は、表裏両面に表示媒体をそれぞれ配設して表示することが可能な「表示装置」であって、取付け用金具Ｘ，Ｘ等を使用して柱体や壁面に取り付けた状態で使用したり、図示しないスタンド（保持具）にセットして平面上に自立させた状態で使用したりすることができるように構成されている。
【００２４】
この看板装置１は、図２〜６に示すように、基体２、４つのＬＥＤ基板３、一対の導光板４、一対のカバー板５、および一対の蓋体６と、ＬＥＤ基板３に対して電力を供給する（点灯を制御する）図示しないコントローラユニットとを備えて構成されている。
【００２５】
基体２は、「基体」の一例であって、全体として正面視長板状に形成されている。この基体２は、主材１０、および４つのＬＥＤ取付け具３０を備えている。この場合、図２，３に示すように、本例の看板装置１（基体２）では、幅方向における一方側の部位を構成する第１部材２０ａ（「第１部材」の一例）と、幅方向における他方側の部位を構成する第２部材２０ｂ（「第２部材」の一例）と、第１部材２０ａおよび第２部材２０ｂを連結する第３部材２０ｃとを備え、これらが接合されてネジ２１およびナット２２（「締結部材」の一例）によって一体的に固定されることで正面視長板状に形成されている。なお、本例の基体２（主材１０）では、第１部材２０ａ、第２部材２０ｂおよび第３部材２０ｃの３つがそれぞれ「基体構成部材」に相当する。
【００２６】
また、第１部材２０ａは、第３部材２０ｃや第２部材２０ｂと一体化された状態において正面視長板状の本体部１１を構成する部位と、本体部１１の幅方向における端部の面Ｆ１１ａ，Ｆ１１ｂにそれぞれ設けられた一対の縁板部１２，１２とが、アルミニウムを用いた押出成形によって一体的に形成されて構成されている。さらに、第２部材２０ｂは、第３部材２０ｃや第２部材２０ａと一体化された状態において本体部１１を構成する部位と、本体部１１の幅方向における端部の面Ｆ１１ａ，Ｆ１１ｂにそれぞれ設けられた一対の縁板部１２，１２とが、アルミニウムを用いた押出成形によって一体的に形成されて構成されている。
【００２７】
なお、本例では、看板装置１の構成についての理解を容易とするために、主材１０を構成する３つの部材のうちの２つを第１部材２０ａおよび第２部材２０ｂと称して説明するが、実際には、この第１部材２０ａおよび第２部材２０ｂは、材質、形状および大きさなどが互いに等しい単一種類の部材で構成されている。
【００２８】
また、図２，４に示すように、第１部材２０ａおよび第２部材２０ｂの本体部１１における面Ｆ１１ａ，Ｆ１１ｂ（導光板４の面Ｆ４ａと対向する面）には、後述するように基体２（主材１０）に取り付けられた状態の導光板４における面Ｆ４ａ（「裏面側の一面」の一例）に接して本体部１１と導光板４との間に隙間Ｓ１ａ（「本体部と導光板との間の隙間」の一例）を形成するリブ１１ａ（「第１凸部」の一例）が形成されている。この場合、本例の基体２（主材１０）では、第１部材２０ａおよび第２部材２０ｂの本体部１１における縁板部１２と対向する部位にリブ１１ａが形成されている。
【００２９】
さらに、図２，５に示すように、本例の看板装置１（基体２）では、第１部材２０ａおよび第３部材２０ｃの接合部位を本体部１１の厚み方向でそれぞれ貫通させられて両部材２０ａ，２０ｃを固定するネジ２１のネジ頭およびナット２２と、第２部材２０ｂおよび第３部材２０ｃの接合部位を本体部１１の厚み方向でそれぞれ貫通させられて両部材２０ｂ，２０ｃを固定するネジ２１のネジ頭およびナット２２とがそれぞれ上記のリブ１１ａと同様の「第１凸部」として機能するように本体部１１から突出させられている。なお、本例では、ネジ２１のネジ頭、およびナット２２が「締結部材の頭部」に相当する。
【００３０】
本体部１１は、「本体部」の一例であって、本例の看板装置１（基体２）では、この本体部１１における表面側の面Ｆ１１ａ，Ｆ１１ｂが鏡面加工（または、白色塗装）されており、後述するように導光板４によって導光されて導光板４の面Ｆ４ａから出射された光を表示媒体の側に向かって反射するように構成されている。
【００３１】
縁板部１２は、「縁板部」の一例であって、図２，４に示すように、導光板４やカバー板５の幅方向における両端部を覆うようにして本体部１１の幅方向における両端部の面Ｆ１１ａ，Ｆ１１ｂにそれぞれに形成されている。この場合、本例の看板装置１（基体２）では、上記の本体部１１の幅方向における端部および縁板部１２によって「差込み用溝部」に相当する差込み用溝部１３が面Ｆ１１ａ，Ｆ１１ｂにそれぞれ形成されている。また、本例の看板装置１（基体２）では、差込み用溝部１３の奥側にＬＥＤ取付け具３０を取り付けるための取付け部１４がそれぞれ形成されている。
【００３２】
ＬＥＤ取付け具３０は、アルミニウムを用いた押出成形によって主材１０（第１部材２０ａおよび第２部材２０ｂ）とは別体に形成されている。このＬＥＤ取付け具３０は、図３，８に示すように、主材１０の取付け部１４に取り付けるための取付け部３１、ＬＥＤ基板３を取付け可能な基板取付け部３２、および後述するように導光板４とカバー板５との間に挟み込まれるリブ３３（「第２凸部」の一例）が一体的に形成されている。なお、本例のＬＥＤ取付け具３０では、取付け部３１の一部を兼用して基板取付け部３２が形成されている。このＬＥＤ取付け具３０は、後述するように、基板取付け部３２にＬＥＤ基板３を取り付けた状態で取付け部１４に取付け部３１が嵌入されるようにして主材１０に対して固定される。
【００３３】
ＬＥＤ基板３は、「帯状光源体」の一例であって、図７に示すように、長尺帯状のフレキシブル基板４１、およびフレキシブル基板４１の一面に等間隔で配置された複数のＬＥＤ４２や、ＬＥＤ４２と共にフレキシブル基板４１の一面に実装された抵抗体および定電流ダイオードなどの保護部品を備えている。このＬＥＤ基板３では、フレキシブル基板４１の基板面と交差する向きに光を出射可能に各ＬＥＤ４２がフレキシブル基板４１に実装されている。この場合、本例の看板装置１では、基体２の幅方向における両端部にＬＥＤ基板３がそれぞれ取り付けられている（「基体の幅方向における両端部の少なくとも一方に取り付けられ」との構成が「基体の幅方向における両端部の双方に取り付けられ」との構成の例）。
【００３４】
導光板４は、「導光板」の一例であって、図３に示すように長尺平板状に形成されると共に、図２，４〜６に示すように、基体２における本体部１１の面Ｆ１１ａ，Ｆ１１ｂに対向配置されて（面Ｆ１１ａ，Ｆ１１ｂに沿って配置されて）、各ＬＥＤ基板３から発せられた光を基体２の幅方向における各部にそれぞれ導光する。この場合、この導光板４は、図４に示すように、ＬＥＤ取付け具３０に取り付けられた状態で差込み用溝部１３の奥側の取付け部１４内に配置されたＬＥＤ基板３からの光が端面Ｆ４ｃから入射するように、その幅方向における両端部が差込み用溝部１３，１３内に差し込まれた状態で基体２に取り付けられている。
【００３５】
カバー板５は、「表面板」の一例であって、図３に示すように長尺平板状に形成されると共に、図２，４〜６に示すように、導光板４の面Ｆ４ｂ（「表面側の一面」の一例）に沿って配置されて導光板４と共に表示媒体を保持可能に基体２に取り付けられている。この場合、本例の看板装置１では、導光板４およびカバー板５の両板体の端部を差込み可能に各差込み用溝部１３が形成されている。
【００３６】
蓋体６は、「蓋体」の一例であって、基体２、導光板４，４およびカバー板５，５，における長手方向の端部を覆うことができるように構成されている。この場合、本例の看板装置１では、図３，６に示すように、アルミニウムを用いた押出成形によってそれぞれ別個に形成された内側部材６ａおよび外側部材６ｂの２つの部材を備えて構成されている。
【００３７】
内側部材６ａには、基体２（主材１０）の本体部１１と導光板４との間に差し込まれて本体部１１と導光板４との間に隙間Ｓ１ａを生じさせた状態を維持する一対のリブ（壁状部）２５，２５と、導光板４とカバー板５との間に差し込まれて導光板４とカバー板５との間に隙間Ｓ１ｂを生じさせた状態を維持する一対のリブ（壁状部）２６，２６（「第３凸部」の一例）とが設けられている。外側部材６ｂには、基体２（主材１０）の縁板部１２と同様にカバー板５の端部における表面側を覆う一対の縁板部２７，２７が形成されると共に、その内側に内側部材６ａを一体的に嵌め込むことができるように構成されている。
【００３８】
この看板装置１の製造に際しては、押出成形によって第１部材２０ａ、第２部材２０ｂＬＥＤ取付け具３０、内側部材６ａおよび外側部材６ｂをそれぞれ製作する。また、任意の厚みのアルミニウムの平板を切断することによって第３部材２０ｃを製作すると共に、任意の厚みの樹脂平板を切断することによって各導光板４および各カバー板５をそれぞれ製作する。次いで、第１部材２０ａ、第２部材２０ｂおよび第３部材２０ｃを接合してネジ２１およびナット２２によって固定することにより、主材１０を製作する。この際には、ネジ２１のねじ頭およびナット２２が本体部１１の面Ｆ１１ａ，Ｆ１１ｂからそれぞれ突出した状態となる。
【００３９】
続いて、図８に示すように、ＬＥＤ取付け具３０の基板取付け部３２にＬＥＤ基板３を取り付ける。この場合、ＬＥＤ基板３のフレキシブル基板４１に粘着テープが貼付されているときには、その台紙を剥離してフレキシブル基板４１を基板取付け部３２に貼り付け、粘着テープが貼付されていないときには、接着剤によってフレキシブル基板４１を基板取付け部３２に接着する。この際には、剥き出し状態の基板取付け部３２に対してＬＥＤ基板３を貼り付ける（または接着する）ことでＬＥＤ取付け具３０にＬＥＤ基板３を固定できるため、この種の作業に不慣れな者であっても、ＬＥＤ基板３を破損することなく、短時間で容易に作業を完了させることができる。
【００４０】
続いて、図９に示すように、主材１０における長手方向の端部から取付け部１４に取付け部３１を嵌合させるようにして、ＬＥＤ取付け具３０を収容する。これにより、主材１０に対してＬＥＤ取付け具３０が固定されて基体２が完成し、基体２に対するＬＥＤ基板３の取り付けが完了した状態となる。
【００４１】
次いで、基体２（主材１０）における面Ｆ１１ａ，Ｆ１１ｂの両面に導光板４をそれぞれ取り付ける。具体的には、図１０に示すように、導光板４の幅方向における端部が、主材１０における本体部１１とＬＥＤ取付け具３０におけるリブ３３との間に挿入された状態で差込み用溝部１３に差し込まれるように基体２における長手方向の端部側から導光板４を差し込んで取り付ける。
【００４２】
この際には、導光板４における幅方向の端部が、図４に示すように主材１０（本体部１１）のリブ１１ａに接した状態となり、かつ導光板４における中央部が、図５に示すようにネジ２１の頭部、またはナット２２に接した状態となる（導光板４の取付けが完了した時点においては、各図におけるカバー板５や蓋体６は未装着の状態となっている）。これにより、基体２の本体部１１における面Ｆ１１ａ，Ｆ１１ｂと、導光板４の面Ｆ４ａとの間に隙間Ｓ１ａがそれぞれ生じた状態となる。
【００４３】
続いて、図１１に示すように、幅方向における両端部を基体２の差込み用溝部１３に差し込むようにして基体２にカバー板５を取り付ける。この際には、主材１０における縁板部１２とＬＥＤ取付け具３０におけるリブ３３との間に挿入するようにしてカバー板５を取り付ける。これにより、図４，５に示すように、導光板４の面Ｆ４ｂとカバー板５の面Ｆ５との間にリブ３３の厚みと等しい隙間Ｓ１ｂ（「導光板と表面板との間の隙間」の一例）が生じた状態となる（カバー板５の取付けが完了した時点においては、各図における蓋体６は未装着の状態となっている）。
【００４４】
なお、看板装置１の構成および組立て方法についての理解を容易とするために、図示および詳細な説明を省略するが、一例として、基体２に対するカバー板５の取付けに先立ち、縁板部１２とリブ３３との間にシール材（可逆変形可能な弾性材）を挿入しておき、その状態でカバー板５を挿入してシール材を圧縮変形させることにより、基体２（縁板部１２）とカバー板５との間をシーリングすることができる。
【００４５】
次いで、基体２、各ＬＥＤ基板３、各導光板４および各カバー板５の長手方向における両端部に蓋体６をそれぞれ装着する。具体的には、まず、リブ２５，２５が本体部１１の面Ｆ１１ａ，Ｆ１１ｂと導光板４，４の面Ｆ４ａ，Ｆ４ａとの間の隙間Ｓ１ａ，Ｓ１ａにそれぞれ挿入されると共に、リブ２６，２６が導光板４，４の面Ｆ４ｂ，Ｆ４ｂとカバー板５，５の面Ｆ５，Ｆ５との間の隙間Ｓ１ｂ，Ｓ１ｂにそれぞれ挿入されるようにして内側部材６ａを基体２に取り付ける。次いで、内側部材６ａに被せるようにして外側部材６ｂを取り付ける。
【００４６】
なお、看板装置１の構成および組立て方法についての理解を容易とするために、図示および詳細な説明を省略するが、一例として、上記の外側部材６ｂの取付けに先立ち、内側部材６ａのリブ２６と外側部材６ｂの縁板部２７との間にシール材（可逆変形可能な弾性材）を挿入しておき、その状態で内側部材６ａに外側部材６ｂを被せてシール材を圧縮変形させることにより、蓋体６とカバー板５との間をシーリングすることができる。以上により、蓋体６の取付けが完了し、図１，２に示すように看板装置１が完成する。
【００４７】
この看板装置１の使用に際しては、両蓋体６，６のいずれか一方を取り外して導光板４およびカバー板５の間の隙間Ｓ１ｂに表示媒体を差し込む。この際には、導光板４とカバー板５との間にＬＥＤ取付け具３０におけるリブ３３の厚みと等しい隙間Ｓ１ｂが形成されているため、この隙間Ｓ１ｂに表示媒体をスムーズに差し込むことができる。次いで、取り外した蓋体６を基体２（本体部１１）に再び装着する。これにより、ＬＥＤ基板３，３から発せられて導光板４によって導光された光によって表示媒体を裏面側から照らすことが可能な状態となる。
【００４８】
この場合、本例の看板装置１では、装置内に雨水が浸入することのないようにシーリングが施されているものの、シーリング材の経年劣化等に起因して、極く僅かな量の雨水等が装置内に侵入するおそれがある。しかしながら、本例の看板装置１では、本体部１１に設けられたリブ１１ａや、第１部材２０ａと第２部材２０ｂとを固定するためのネジ２１のネジ頭およびナット２２が「第１凸部」として機能すると共に、蓋体６（内側部材６ａ）のリブ２５，２５が「第１凸部」と同様の凸部（「第４凸部」）として機能して、本体部１１の面Ｆ１１ａ，Ｆ１１ｂと導光板４の面Ｆ４ａとの間に十分に広い隙間Ｓ１ａが形成され、その状態が好適に維持されている。
【００４９】
したがって、本例の看板装置１では、出願人が先行出願において開示している看板装置とは異なり、少量の雨水等が装置内に侵入したとしても、侵入した雨水等の隙間Ｓ１ａへの侵入（毛細管現象の発生）が生じ難いだけでなく、たとえ隙間Ｓ１ａ内に雨水等が侵入したとしても、侵入した雨水等が自重によって落下して隙間Ｓ１ａから離脱し易くなっている。このため、本例の看板装置１では、本体部１１と導光板４との間に雨水等侵入領域が生じ難くなっており、導光板４の面Ｆ４ｂ側から見たときに、明るい部位（ＬＥＤ基板３からの光の出射量が多い部位）と、暗い部位（ＬＥＤ基板３からの光の出射量が少ない部位）とが混在していると認識される事態が好適に回避されている。
【００５０】
なお、隙間Ｓ１ａ内に雨水等が侵入した場合には、リブ１１ａの周囲に線的な雨水等侵入領域が生じ、ネジ２１のネジ頭やナット２２の周囲に点的な雨水等侵入領域が生じることがある。しかしながら、これらの線的または点的な雨水等侵入領域が極く狭いため、このような雨水等侵入領域の影響は極く小さなものとなっている。これにより、全域において均一な明るさで表示媒体を照らすことが可能となっている。
【００５１】
また、本例の看板装置１では、ＬＥＤ取付け具３０に設けられたリブ３３が「第２凸部」として機能すると共に、蓋体６（内側部材６ａ）のリブ２６，２６が「第３凸部」として機能して、導光板４の面Ｆ４ｂとカバー板５の面Ｆ５との間に十分に広い隙間Ｓ１ｂが形成され、その状態が好適に維持されている。
【００５２】
したがって、本例の看板装置１では、少量の雨水等が装置内に侵入したとしても、侵入した雨水等の隙間Ｓ１ｂへの侵入（毛細管現象の発生）が生じ難いだけでなく、たとえ隙間Ｓ１ｂ内に雨水等が侵入したとしても、侵入した雨水等が自重によって落下して隙間Ｓ１ｂから離脱し易くなっている。このため、本例の看板装置１では、導光板４とカバー板５との間にも雨水等侵入領域が生じ難くなっており、この点においても、カバー板５の表面側から見たときに、明るい部位（ＬＥＤ基板３からの光の出射量が多い部位）と、暗い部位（ＬＥＤ基板３からの光の出射量が少ない部位）とが混在していると認識される事態が好適に回避されている。
【００５３】
このように、この看板装置１によれば、基体２における本体部１１の導光板４と対向する一面（面Ｆ１１ａ，Ｆ１１ｂ）に、導光板４における面Ｆ４ａに接して本体部１１と導光板４との間に隙間Ｓ１ａを形成する「第１凸部（リブ１１ａ、ネジ２１のネジ頭およびナット２２）」を配設したことにより、看板装置１内に雨水等が侵入したとしても、本体部１１および導光板４の間（隙間Ｓ１ａ内）への毛細管現象による雨水等の侵入が生じ難く、また、本体部１１および導光板４の間（隙間Ｓ１ａ内）に雨水等が侵入したとしても、侵入した雨水等が自重によって落下して隙間Ｓ１ａから離脱し易いため、雨水等侵入領域および雨水等非侵入領域の存在によって明るい部位と暗い部位とが生じた状態となるのを好適に回避することができる。これにより、点灯状態の看板装置１内に雨水等が侵入したとしても、その美観が大きく損なわれる事態を回避して全域において均一な明るさで表示媒体を照らして視認させることができる。
【００５４】
また、この看板装置１によれば、複数の「基体構成部材（第１部材２０ａ、第２部材２０ｂおよび第３部材２０ｃ）」を接合して一体化することで正面視長板状の基体２を構成すると共に、各「基体構成部材」を固定するネジ２１のねじ頭およびナット２２を本体部１１から突出させて「第１凸部」として機能させる構成を採用したことにより、主材１０を分割構造としたことで、「主材」を一体構造とした場合よりも容易に製作することができ、これにより、主材１０の部品コストを十分に低減して看板装置１の製造コストを十分に低減することができるだけでなく、ネジ２１のネジ頭やナット２２によって形成される隙間Ｓ１ａの存在により、雨水等侵入領域および雨水等非侵入領域の存在によって明るい部位と暗い部位とが生じた状態となるのを好適に回避することができる。
【００５５】
さらに、この看板装置１によれば、導光板４およびカバー板５の間に位置させられて導光板４およびカバー板５の間に隙間Ｓ１ｂを生じさせた状態を維持すると共に、本体部１１と共に導光板４を保持し、かつ縁板部１２と共にカバー板５を保持する「第２凸部（リブ３３）」を備えたことにより、導光板４とカバー板５との間にもリブ３３の厚みと同程度の十分に広い隙間Ｓ１ｂを生じさせることができるため、導光板４とカバー板５との間（隙間Ｓ１ｂ内）に表示媒体を容易に差し込むことができるだけでなく、カバー板５を備えた構成の看板装置１内に雨水等が侵入したとしても、導光板４およびカバー板５の間（隙間Ｓ１ｂ内）への毛細管現象による雨水等の侵入が生じ難く、また、導光板４およびカバー板５の間（隙間Ｓ１ｂ内）に雨水等が侵入したとしても、侵入した雨水等が自重によって落下して隙間Ｓ１ｂから離脱し易いため、雨水等侵入領域および雨水等非侵入領域の存在によって明るい部位と暗い部位とが生じた状態となるのを好適に回避することができる。これにより、カバー板５を備えた看板装置１において点灯状態の看板装置１内に雨水等が侵入したとしても、その美観が大きく損なわれる事態を回避して全域において均一な明るさで表示媒体を照らして視認させることができる。
【００５６】
また、この看板装置１によれば、基体２、導光板４およびカバー板５における長手方向の端部を覆う蓋体６（内側部材６ａおよび外側部材６ｂ）に、導光板４およびカバー板５の間に差し込まれて導光板４およびカバー板５の間に隙間Ｓ１ｂを生じさせた状態を維持する「第３凸部（リブ２６）」を配設したことにより、リブ３３のみによって導光板４とカバー板５との間に隙間Ｓ１ｂを生じさせる構成とは異なり、リブ２６の存在によって隙間Ｓ１ｂを生じさせた状態を好適に維持することができるため、全域において均一な明るさで表示媒体を照らして視認させることができる状態を長期に亘って好適に維持することができる。
【００５７】
次に、「表示装置」の他の実施の形態について説明する。なお、上記の看板装置１と同様の機能を有する構成要素については、同一の符号を付して重複する説明を省略する。
【００５８】
図１２に示す看板装置１Ａは、「表示装置」の他の一例であって、前述した看板装置１と同様にして、表示媒体（広告媒体：紙やフィルムに任意の図柄や記号を印刷したもの：図示せず）を背面側から照らして表示することができるように構成されている。この看板装置１Ａは、看板装置１における基体２に代えて基体２Ａを備えると共に、看板装置１における蓋体６（内側部材６ａおよび外側部材６ｂ）に代えて樹脂製の蓋体（キャップ）６Ａを備え、その他の構成要素については看板装置１の対応する構成要素と同様に構成されている。
【００５９】
基体２Ａは、「基体」の他の一例であって、全体として正面視長板状に形成されている。この基体２Ａは、主材１０Ａ、および４つのＬＥＤ取付け具３０を備えている。この場合、図１２，１３，１６に示すように、本例の看板装置１Ａ（基体２Ａ）では、幅方向における一方側の部位を構成する第１部材２０ｄ（「基体構成部材」としての「第１部材」の一例）と、幅方向における他方側の部位を構成する第２部材２０ｅ（基体構成部材」としての「第２部材」の一例）とが接合されてネジ２１およびナット２２（「締結部材」の一例）によって一体化されることで正面視長板状に形成されている。
【００６０】
また、第１部材２０ｄは、第２部材２０ｅと一体化された状態において正面視長板状の本体部１１を構成する部位と、本体部１１の幅方向における端部の面Ｆ１１ａ，Ｆ１１ｂにそれぞれ設けられた一対の縁板部１２，１２とが、アルミニウムを用いた押出成形によって一体的に形成されて構成されている。さらに、第２部材２０ｅは、第２部材２０ａと一体化された状態において本体部１１を構成する部位と、本体部１１の幅方向における端部の面Ｆ１１ａ，Ｆ１１ｂにそれぞれ設けられた一対の縁板部１２，１２とが、アルミニウムを用いた押出成形によって一体的に形成されて構成されている。
【００６１】
なお、本例では、看板装置１Ａの構成についての理解を容易とするために、主材１０Ａを構成する２つの部材を第１部材２０ｄおよび第２部材２０ｅと称して説明するが、実際には、この第１部材２０ｄおよび第２部材２０ｅは、材質、形状および大きさなどが互いに等しい単一種類の部材で構成されている。
【００６２】
また、図１３，１５に示すように、第１部材２０ｄおよび第２部材２０ｅの本体部１１となる部位には、後述するように基体２Ａ（主材１０Ａ）に取り付けられた状態の導光板４における面Ｆ４ａ（「裏面側の一面」の一例）に接して本体部１１と導光板４との間に隙間Ｓ１ａ（「隙間」の一例）を形成するリブ１１ｂ（「第１凸部」の一例）が導光板４の面Ｆ４ａと対向する面Ｆ１１ａ，Ｆ１１ｂにそれぞれ形成されている。また、図１３，１４に示すように、本体部１１における端部（後に導光板４の端部が接する部位）には、前述したリブ１１ｂと同程度の高さの段部１１ｃ（「第１凸部」の他の一例）が面Ｆ１１ａ，Ｆ１１ｂにそれぞれ設けられている。
【００６３】
さらに、図１３，１６に示すように、本例の看板装置１Ａ（基体２Ａ）では、第１部材２０ｄおよび第２部材２０ｅの接合部位を本体部１１の厚み方向でそれぞれ貫通させられて両部材２０ａ，２０ｂを固定するネジ２１のネジ頭（「締結部材の頭部」の一例）、およびナット２２（「締結部材の頭部」の他の一例）がそれぞれ上記のリブ１１ｂと同様の「第１凸部」として機能するように本体部１１から突出させられている。
【００６４】
蓋体６Ａは、基体２Ａ（主材１０ＡおよびＬＥＤ取付け具３０）、各ＬＥＤ基板３、各導光板４および各カバー板５の長手方向における端部を覆う樹脂材料製の部材であって、基体２Ａの本体部１１に形成された図示しないねじ込み部に図示しない固定ねじをネジ込むことによって本体部１１に固定されている。
【００６５】
この看板装置１Ａの製造に際しては、押出成形によって第１部材２０ｄ、第２部材２０ｅおよび各ＬＥＤ取付け具３０をそれぞれ製作する。また、任意の厚みの樹脂平板を切断することによって各導光板４および各カバー板５をそれぞれ製作すると共に、射出成型によって蓋体６Ａを製作する。次いで、第１部材２０ｄおよび第２部材２０ｅを接合してネジ２１およびナット２２によって固定することにより、主材１０Ａを製作する。この際には、ネジ２１のねじ頭およびナット２２が本体部１１の面Ｆ１１ａ，Ｆ１１ｂからそれぞれ突出した状態となる。
【００６６】
続いて、図８に示すように、基板取付け部３２にＬＥＤ基板３を取り付けたＬＥＤ取付け具３０を主材１０Ａに取り付ける。この際には、主材１０Ａにおける長手方向の端部から取付け部１４に取付け部３１を嵌合させるようにして、ＬＥＤ取付け具３０を収容する。これにより、主材１０Ａに対してＬＥＤ取付け具３０が固定されて基体２Ａが完成し、基体２Ａに対するＬＥＤ基板３の取り付けが完了した状態となる。
【００６７】
次いで、基体２Ａ（主材１０Ａ）における面Ｆ１１ａ，Ｆ１１ｂの両面に導光板４をそれぞれ取り付ける。具体的には、導光板４の幅方向における端部が、主材１０Ａにおける本体部１１とＬＥＤ取付け具３０におけるリブ３３との間に挿入された状態で差込み用溝部１３に差し込まれるように基体２Ａにおける長手方向の端部側から導光板４を差し込んで取り付ける。
【００６８】
この際には、導光板４における幅方向の端部が、図１４に示すように主材１０Ａ（本体部１１）の段部１１ｃに接した状態となり、導光板４における中央部が、図１６に示すようにネジ２１の頭部、またはナット２２に接した状態となり、かつ導光板４において段部１１ｃに接している部位とネジ２１の頭部やナット２２に接している部位との中間部位が、図１５に示すようにリブ１１ｂに接した状態となる（導光板４の取付けが完了した時点においては、各図におけるカバー板５や蓋体６Ａは未装着の状態となっている）。これにより、基体２Ａの本体部１１における面Ｆ１１ａ，Ｆ１１ｂと、導光板４の面Ｆ４ａとの間に隙間Ｓ１ａがそれぞれ生じた状態となる。
【００６９】
続いて、幅方向における両端部を基体２Ａの差込み用溝部１３に差し込むようにして基体２Ａにカバー板５を取り付ける。この際には、主材１０Ａにおける縁板部１２とＬＥＤ取付け具３０におけるリブ３３との間に挿入するようにしてカバー板５を取り付ける。これにより、図１４〜１６に示すように、導光板４の面Ｆ４ｂとカバー板５の面Ｆ５との間にリブ３３の厚みと等しい隙間Ｓ１ｂが生じた状態となる（カバー板５の取付けが完了した時点においては、各図における蓋体６Ａは未装着の状態となっている）。次いで、基体２Ａ、各ＬＥＤ基板３、各導光板４および各カバー板５の長手方向における両端部に蓋体６Ａをそれぞれ装着する。以上により、図１２に示すように看板装置１Ａが完成する。
【００７０】
この看板装置１Ａの使用に際しては、両蓋体６Ａ，６Ａのいずれか一方を取り外して導光板４およびカバー板５の間の隙間Ｓ１ｂに表示媒体を差し込む。この際には、導光板４とカバー板５との間にＬＥＤ取付け具３０におけるリブ３３の厚みと等しい隙間Ｓ１ｂが形成されているため、この隙間Ｓ１ｂに表示媒体をスムーズに差し込むことができる。次いで、取り外した蓋体６Ａを基体２Ａ（本体部１１）に再び装着する。これにより、ＬＥＤ基板３，３から発せられて導光板４によって導光された光によって表示媒体を裏面側から照らすことが可能な状態となる。
【００７１】
この場合、本例の看板装置１Ａにおいても、前述した看板装置１と同様に装置内に雨水が浸入することのないようにシーリングが施されているものの、シーリング材の経年劣化等に起因して、極く僅かな量の雨水等が装置内に侵入するおそれがある。しかしながら、本例の看板装置１Ａでは、本体部１１に設けられたリブ１１ｂや段部１１ｃ、および第１部材２０ｄと第２部材２０ｅとを固定するためのネジ２１のネジ頭やナット２２が「第１凸部」として機能して、本体部１１の面Ｆ１１ａ，Ｆ１１ｂと導光板４の面Ｆ４ａとの間に十分に広い隙間Ｓ１ａが形成されている。これにより、看板装置１と同様の効果を奏することが可能となっている。
【００７２】
このように、この看板装置１Ａによれば、基体２Ａにおける本体部１１の導光板４と対向する一面（面Ｆ１１ａ，Ｆ１１ｂ）に、導光板４における面Ｆ４ａに接して本体部１１と導光板４との間に隙間Ｓ１ａを形成する「第１凸部（リブ１１ｂ、段部１１ｃ、ネジ２１のネジ頭およびナット２２）」を配設したことにより、前述した看板装置１と同様にして、看板装置１Ａ内に雨水等が侵入したとしても、本体部１１および導光板４の間（隙間Ｓ１ａ内）への毛細管現象による雨水等の侵入が生じ難く、また、本体部１１および導光板４の間（隙間Ｓ１ａ内）に雨水等が侵入したとしても、侵入した雨水等が自重によって落下して隙間Ｓ１ａから離脱し易いため、雨水等侵入領域および雨水等非侵入領域の存在によって明るい部位と暗い部位とが生じた状態となるのを好適に回避することができる。これにより、点灯状態の看板装置１Ａ内に雨水等が侵入したとしても、その美観が大きく損なわれる事態を回避して全域において均一な明るさで表示媒体を照らして視認させることができる。
【００７３】
また、この看板装置１Ａによれば、複数の「基体構成部材（第１部材２０ｄおよび第２部材２０ｅ）」を接合して一体化することで正面視長板状の基体２Ａを構成すると共に、各「基体構成部材」を固定するネジ２１のねじ頭およびナット２２を本体部１１から突出させて「第１凸部」として機能させる構成を採用したことにより、前述した看板装置１と同様にして、主材１０Ａを分割構造としたことで、「主材」を一体構造とした場合よりも容易に製作することができ、これにより、主材１０Ａの部品コストを十分に低減して看板装置１Ａの製造コストを十分に低減することができるだけでなく、ネジ２１のネジ頭やナット２２によって形成される隙間Ｓ１ａの存在により、雨水等侵入領域および雨水等非侵入領域の存在によって明るい部位と暗い部位とが生じた状態となるのを好適に回避することができる。
【００７４】
さらに、この看板装置１Ａによれば、導光板４およびカバー板５の間に位置させられて導光板４およびカバー板５の間に隙間Ｓ１ｂを生じさせた状態を維持すると共に、本体部１１と共に導光板４を保持し、かつ縁板部１２と共にカバー板５を保持する「第２凸部（リブ３３）」を備えたことにより、前述した看板装置１と同様にして、導光板４とカバー板５との間にもリブ３３の厚みと同程度の十分に広い隙間Ｓ１ｂを生じさせることができるため、導光板４とカバー板５との間（隙間Ｓ１ｂ内）に表示媒体を容易に差し込むことができるだけでなく、カバー板５を備えた構成の看板装置１Ａ内に雨水等が侵入したとしても、導光板４およびカバー板５の間（隙間Ｓ１ｂ内）への毛細管現象による雨水等の侵入が生じ難く、また、導光板４およびカバー板５の間（隙間Ｓ１ｂ内）に雨水等が侵入したとしても、侵入した雨水等が自重によって落下して隙間Ｓ１ｂから離脱し易いため、雨水等侵入領域および雨水等非侵入領域の存在によって明るい部位と暗い部位とが生じた状態となるのを好適に回避することができる。これにより、カバー板５を備えた看板装置１Ａにおいて点灯状態の看板装置１Ａ内に雨水等が侵入したとしても、その美観が大きく損なわれる事態を回避して全域において均一な明るさで表示媒体を照らして視認させることができる。
【００７５】
続いて、「表示装置」のさらに他の実施の形態について説明する。
【００７６】
図１７〜２１に示す看板装置５１は、「表示装置」の他の一例であって、電柱等の取付け対象に取り付けた状態で表示媒体（広告媒体）を背面側から照らして表示することができるように構成されている。具体的には、看板装置５１は、基体５２、一対のＬＥＤ基板３、導光板５４、カバー板５５、および一対の蓋体５６と、ＬＥＤ基板３に対して電力を供給する（点灯を制御する）図示しないコントローラユニットとを備えて構成されている。なお、上記のＬＥＤ基板３については、看板装置１，１ＡにおけるＬＥＤ基板３と同様のため、詳細な説明を省略する。
【００７７】
基体５２は、「基体」の他の一例であって、全体として正面視長板状に形成されている。この基体５２は、主材６０、および一対のＬＥＤ取付け具７０を備えている。また、主材６０は、本体部６１、および本体部６１の両端部に設けられた一対の縁板部６２，６２が、アルミニウムを用いた押出成形によって一体的に形成されて構成されている。
【００７８】
本体部６１は、「本体部」の他の一例であって、取付け対象の周面形状に応じて、その幅方向（図１７における左右方向）の断面形状が弧状となるように湾曲させられている。この場合、本例の看板装置５１（基体５２）では、本体部６１における表面側の面Ｆ６１が、鏡面加工、または白色塗装されており、これにより、後述するように導光板５４によって導光されて導光板５４の面Ｆ５４ａ側に出射された光を看板装置５１の表面側に向かって反射するように構成されている。また、図１７，１９，２０に示すように、本体部６１の面Ｆ６１には、後述するように基体５２（主材６０）に取り付けられた状態の導光板５４における面Ｆ５４ａ（「裏面側の一面」の他の一例）に接して本体部６１と導光板５４との間に隙間Ｓ５１ａ（「隙間」の他の一例）を形成するリブ６１ａ，６１ｂ（「第１凸部」の他の一例）が形成されている。
【００７９】
縁板部６２は、「縁板部」の他の一例であって、図１７，２０に示すように、導光板５４やカバー板５５の幅方向における両端部を覆うようにして本体部６１の幅方向における両端部に形成されている。この場合、本例の看板装置５１（基体５２）では、上記の本体部６１の幅方向における端部および縁板部６２によって「差込み用溝部」に相当する差込み用溝部６３が形成されている。また、本例の看板装置５１（基体５２）では、図２０に示すように、縁板部６２の内面（縁板部６２における本体部６１との対向面）にＬＥＤ取付け具７０を取り付けるための取付け用凸部６２ａが形成されている。
【００８０】
ＬＥＤ取付け具７０は、アルミニウムを用いた押出成形によって主材６０（本体部６１および縁板部６２）とは別体に形成されている。このＬＥＤ取付け具７０は、図２０に示すように、縁板部６２（取付け用凸部６２ａ）に取り付けるための取付け部７１、ＬＥＤ基板３を取付け可能な基板取付け部７２、および後述するように導光板５４とカバー板５５との間に挟み込まれるリブ７３が一体的に形成されている。このＬＥＤ取付け具７０は、後述するように、基板取付け部７２にＬＥＤ基板３を取り付けた状態で差込み用溝部６３内に配置され、取付け部７１に縁板部６２の取付け用凸部６２ａを嵌合させるようにして縁板部６２（主材６０）に対して固定される。
【００８１】
導光板５４は、「導光板」の他の一例であって、図１７に示すように、基体５２における本体部６１の面Ｆ６１に沿って湾曲させられている。この導光板５４は、図１７に示すように、基体５２における本体部６１の面Ｆ６１側に配置されて、ＬＥＤ基板３から発せられた光を基体５２の幅方向における各部に導光する。この場合、この導光板５４は、図２０に示すように、ＬＥＤ取付け具７０に取り付けられた状態で差込み用溝部６３内に配置されたＬＥＤ基板３からの光が端面Ｆ５４ｃから入射するように、その幅方向における両端部が差込み用溝部６３，６３内に差し込まれた状態で基体５２に取り付けられている。
【００８２】
カバー板５５は、「表面板」の他の一例であって、図１７に示すように、上記の導光板５４と同様にして幅方向に沿って湾曲させられると共に、導光板５４の面Ｆ５４ｂ側に配置されて導光板５４と共に表示媒体を保持可能に基体５２に取り付けられている。この場合、本例の看板装置５１では、導光板５４およびカバー板５５の両板体の端部を差込み可能に差込み用溝部６３が形成されている。
【００８３】
蓋体５６は、基体５２（主材６０およびＬＥＤ取付け具７０）、ＬＥＤ基板３，３、導光板５４およびカバー板５５の長手方向における端部を覆う部材（「蓋体」の他の一例）であって、図１８に示すように、基体５２、導光板５４およびカバー板５５の湾曲形状に合わせて樹脂材料によって弧状に形成されている。この蓋体５６には、導光板５４とカバー板５５との間に差し込まれて導光板５４とカバー板５５との間に隙間Ｓ５１ｂ（図１７，１９〜２１参照）を生じさせた状態を維持する複数のリブ（壁状部）５６ａ，５６ａ・・（「第３凸部」の他の一例）が設けられている。
【００８４】
この看板装置５１の製造に際しては、押出成形によって主材６０およびＬＥＤ取付け具７０をそれぞれ製作する。また、任意の厚みの樹脂平板を加熱プレスすることによって断面弧状の導光板５４およびカバー板５５をそれぞれ製作すると共に、射出成型によって蓋体５６を製作する。次いで、ＬＥＤ取付け具７０の基板取付け部７２にＬＥＤ基板３を取り付けた後に、主材６０における縁板部６２の取付け用凸部６２ａをＬＥＤ取付け具７０の取付け部７１に嵌合させるようにして、主材６０の差込み用溝部６３内にＬＥＤ取付け具７０を収容して固定する。これにより、主材６０（縁板部６２）に対してＬＥＤ取付け具７０が固定されて基体５２が完成し、基体５２に対するＬＥＤ基板３の取り付けが完了した状態となる。
【００８５】
次いで、幅方向における両端部を差込み用溝部６３に差し込むようにして基体５２に導光板５４を取り付ける。具体的には、導光板５４の幅方向における端部が、主材６０における本体部６１とＬＥＤ取付け具７０におけるリブ７３との間に挿入された状態で差込み用溝部６３に差し込まれるように基体５２における長手方向の端部側から導光板５４を差し込んで取り付ける。
【００８６】
この際には、導光板５４における幅方向の中央部が、図１９に示すように主材６０（本体部６１）のリブ６１ａに接した状態となり、かつ導光板５４における幅方向の端部側部位が、図２０に示すようにリブ６１ｂに接した状態となる（導光板５４の取付けが完了した時点においては、両図におけるカバー板５５や蓋体５６は未装着の状態となっている）。これにより、基体５２の本体部６１における面Ｆ６１と、導光板５４の面Ｆ５４ａとの間に隙間Ｓ５１ａが生じた状態となる。
【００８７】
続いて、幅方向における両端部を基体５２の差込み用溝部６３に差し込むようにして基体５２にカバー板５５を取り付ける。この際には、主材６０における縁板部６２とＬＥＤ取付け具７０におけるリブ７３との間に挿入するようにしてカバー板５５を取り付ける。これにより、図１７，１９，２０に示すように、導光板５４の面Ｆ５４ｂとカバー板５５の面Ｆ５５との間にリブ７３の厚みと等しい隙間Ｓ５１ｂが生じた状態となる（カバー板５５の取付けが完了した時点においては、各図における蓋体５６は未装着の状態となっている）。
【００８８】
なお、看板装置５１の構成および組立て方法についての理解を容易とするために、図示および詳細な説明を省略するが、一例として、基体５２に対するカバー板５５の取付けに先立ち、縁板部６２とリブ７３との間にシール材（可逆変形可能な弾性材）を挿入しておき、その状態でカバー板５５を挿入してシール材を圧縮変形させることにより、基体５２（縁板部６２）とカバー板５５との間をシーリングすることができる。
【００８９】
次いで、基体５２、ＬＥＤ基板３，３、導光板５４およびカバー板５５の長手方向における両端部に蓋体５６をそれぞれ装着する。この際には、各リブ５６ａが本体部６１の面Ｆ６１と導光板５４の面Ｆ５４ａとの間の隙間Ｓ５１ａに挿入された状態となるように基体５２に蓋体６Ａを取り付ける。これにより、図１７に示すように看板装置５１が完成する。
【００９０】
この看板装置５１の使用に際しては、両蓋体５６，５６のいずれか一方を取り外して導光板５４およびカバー板５５の間の隙間Ｓ５１ｂに表示媒体を差し込む。この際には、導光板５４とカバー板５５との間にＬＥＤ取付け具７０におけるリブ７３の厚みと等しい隙間Ｓ５１ｂが形成されているため、この隙間Ｓ５１ｂに表示媒体をスムーズに差し込むことができる。次いで、取り外した蓋体５６を基体５２（本体部６１）に再び装着する。これにより、ＬＥＤ基板３，３から発せられて導光板５４によって導光された光によって表示媒体を裏面側から照らすことが可能な状態となる。
【００９１】
この場合、本例の看板装置５１では、前述した看板装置１，１Ａと同様にして、装置内に雨水が浸入することのないようにシーリングが施されているものの、シーリング材の経年劣化等に起因して、極く僅かな量の雨水等が装置内に侵入するおそれがある。しかしながら、本例の看板装置５１では、本体部６１に設けられたリブ６１ａ，６１ｂが「第１凸部」として機能して、本体部６１の面Ｆ６１と導光板５４の面Ｆ５４ａとの間に十分に広い隙間Ｓ５１ａが形成されている。
【００９２】
したがって、本例の看板装置５１では、前述した看板装置１，１Ａと同様にして、少量の雨水等が装置内に侵入したとしても、侵入した雨水等の隙間Ｓ５１ａへの侵入（毛細管現象の発生）が生じ難いだけでなく、たとえ隙間Ｓ５１ａ内に雨水等が侵入したとしても、侵入した雨水等が自重によって落下して隙間Ｓ５１ａから離脱し易くなっている。このため、本例の看板装置５１では、本体部６１と導光板５４との間に雨水等侵入領域が生じ難くなっており、導光板５４の面Ｆ５４ｂ側から見たときに、明るい部位（ＬＥＤ基板３からの光の出射量が多い部位）と、暗い部位（ＬＥＤ基板３からの光の出射量が少ない部位）とが混在していると認識される事態が好適に回避されている。
【００９３】
なお、隙間Ｓ５１ａ内に雨水等が侵入した場合には、リブ６１ａ，６１ｂの周囲に線的な雨水等侵入領域が生じることがある。しかしながら、これら線的な雨水等侵入領域が極く狭いため、このような雨水等侵入領域の影響は極く小さなものとなっている。これにより、全域において均一な明るさで表示媒体を照らすことが可能となっている。
【００９４】
また、本例の看板装置５１では、ＬＥＤ取付け具７０に設けられたリブ７３が「第２凸部」として機能すると共に、蓋体６Ａの各リブ５６ａが「第３凸部」として機能して、、導光板５４の面Ｆ５４ｂとカバー板５５の面Ｆ５５との間に十分に広い隙間Ｓ５１ｂが形成され、その状態が好適に維持されている。
【００９５】
したがって、本例の看板装置５１では、少量の雨水等が装置内に侵入したとしても、侵入した雨水等の隙間Ｓ５１ｂへの侵入（毛細管現象の発生）が生じ難いだけでなく、たとえ隙間Ｓ５１ｂ内に雨水等が侵入したとしても、侵入した雨水等が自重によって落下して隙間Ｓ５１ｂから離脱し易くなっている。このため、本例の看板装置５１では、導光板５４とカバー板５５との間にも雨水等侵入領域が生じ難くなっており、この点においても、カバー板５５の表面側から見たときに、明るい部位（ＬＥＤ基板３からの光の出射量が多い部位）と、暗い部位（ＬＥＤ基板３からの光の出射量が少ない部位）とが混在していると認識される事態が好適に回避されている。
【００９６】
このように、この看板装置５１によれば、基体５２における本体部６１の導光板５４と対向する一面（面Ｆ６１）に、導光板５４における面Ｆ５４ａに接して本体部６１と導光板５４との間に隙間Ｓ５１ａを形成する「第１凸部（リブ６１ａ，６１ｂ）」を配設したことにより、前述した看板装置１，１Ａと同様にして、看板装置５１内に雨水等が侵入したとしても、本体部６１および導光板５４の間（隙間Ｓ５１ａ内）への毛細管現象による雨水等の侵入が生じ難く、また、本体部６１および導光板５４の間（隙間Ｓ５１ａ内）に雨水等が侵入したとしても、侵入した雨水等が自重によって落下して隙間Ｓ５１ａから離脱し易いため、雨水等侵入領域および雨水等非侵入領域の存在によって明るい部位と暗い部位とが生じた状態となるのを好適に回避することができる。これにより、点灯状態の看板装置５１内に雨水等が侵入したとしても、その美観が大きく損なわれる事態を回避して全域において均一な明るさで表示媒体を照らして視認させることができる。
【００９７】
また、この看板装置５１によれば、導光板５４およびカバー板５５の間に位置させられて導光板５４およびカバー板５５の間に隙間Ｓ５１ｂを生じさせた状態を維持すると共に、本体部６１と共に導光板５４を保持し、かつ縁板部６２と共にカバー板５５を保持する「第２凸部（リブ７３）」を備えたことにより、前述した看板装置１，１Ａと同様にして、導光板５４とカバー板５５との間にもリブ７３の厚みと同程度の十分に広い隙間Ｓ５１ｂを生じさせることができるため、導光板５４とカバー板５５との間（隙間Ｓ５１ｂ内）に表示媒体を容易に差し込むことができるだけでなく、カバー板５５を備えた構成の看板装置５１内に雨水等が侵入したとしても、導光板５４およびカバー板５５の間（隙間Ｓ５１ｂ内）への毛細管現象による雨水等の侵入が生じ難く、また、導光板５４およびカバー板５５の間（隙間Ｓ５１ｂ内）に雨水等が侵入したとしても、侵入した雨水等が自重によって落下して隙間Ｓ５１ｂから離脱し易いため、雨水等侵入領域および雨水等非侵入領域の存在によって明るい部位と暗い部位とが生じた状態となるのを好適に回避することができる。これにより、カバー板５５を備えた看板装置５１において点灯状態の看板装置５１内に雨水等が侵入したとしても、その美観が大きく損なわれる事態を回避して全域において均一な明るさで表示媒体を照らして視認させることができる。
【００９８】
さらに、この看板装置５１によれば、基体５２、導光板５４およびカバー板５５における長手方向の端部を覆う蓋体５６に、導光板５４およびカバー板５５の間に差し込まれて導光板５４およびカバー板５５の間に隙間Ｓ５１ｂを生じさせた状態を維持する「第３凸部（リブ５６ａ）」を配設したことにより、前述した看板装置１，１Ａと同様にして、リブ７３のみによって導光板５４とカバー板５５との間に隙間Ｓ５１ｂを生じさせる構成とは異なり、リブ５６ａの存在によって隙間Ｓ５１ｂを生じさせた状態を好適に維持することができるため、全域において均一な明るさで表示媒体を照らして視認させることができる状態を長期に亘って好適に維持することができる。
【００９９】
なお、「表示装置」の構成は、上記の看板装置１，１Ａ，５１の構成の例に限定されない。例えば、導光板４に対して線的に接するリブ１１ａ，１１ｂおよび段部１１ｃや、導光板５４に対して線的に接するリブ６１ａ，６１ｂを「第１凸部」として設けた例について説明したが、「第１凸部」は「導光板」に対して線的に接する形状に限定されず、「導光板」に対して点的に接するように「第１凸部」を配設したり、「導光板」に対して線的に接する「第１凸部」と「導光板」に対して点的に接する「第１凸部」を混在させて配設したりすることができる。
【０１００】
また、「基体構成部材」を一体的に固定するネジ２１のネジ頭やナット２２を「第１凸部」として機能させる看板装置１，１Ａの構成を例に挙げて説明したが、「締結部材の頭部」はネジ２１のネジ頭やナット２２に限定されず、「締結部材」としてリベットを使用する構成を採用し、このリベットのフランジおよびスリーブを「第１凸部（締結部材の頭部）」として機能させる構成を採用することもできる。さらに、「第１部材」および「第２部材」を「締結部材」によって一体的に固定する構成を採用する場合において「締結部材の頭部」を「第１凸部」として機能させない構成（「締結部材の頭部」が「導光板」に接しない構成）を採用することもできる。
【０１０１】
また、「第１凸部」を配設することなく「第２凸部」および「第３凸部」の少なくとも一方を配設する構成、「第２凸部」を配設することなく「第１凸部」および「第３凸部」の少なくとも一方を配設する構成、並びに「第３凸部」を配設することなく「第１凸部」および「第２凸部」の少なくとも一方を配設する構成を採用することもできる。
【０１０２】
また、基体２，２Ａ（本体部１１）の面Ｆ１１ａにおける両端部、および基体２，２Ａ（本体部１１）の面Ｆ１１ｂにおける両端部にＬＥＤ基板３をそれぞれ配設した看板装置１，１Ａや、基体５２（本体部６１）の面Ｆ６１における両端部にＬＥＤ基板３をそれぞれ配設した看板装置５１を例に挙げて説明したが、「帯状光源体」から十分な光量の光を出射できる場合や、「基体」の幅が狭い場合などには、「基体」の幅方向における両端部の一方だけに「帯状光源体」を配設して「表示装置」を構成することもできる（図示せず）。
【０１０３】
また、主材１０，１０Ａとは別体に形成したＬＥＤ取付け具３０を介して基体２，２ＡにＬＥＤ基板３を取り付ける構成や、主材６０とは別体に形成したＬＥＤ取付け具７０を介して基体５２にＬＥＤ基板３を取り付ける構成を例に挙げて説明したが、このような構成に代えて、「基体」に対して「帯状光源体」を直接取り付ける構成を採用することもできる。
【０１０４】
さらに、カバー板５，５５を備えた看板装置１，１Ａ，５１の構成を例に挙げて説明したが、「表面板（カバー板５，５５）」を設けずに、導光板４，５４の表面側に貼付した「表示媒体」を剥き出したままとする構成を採用することもできる。また、ＬＥＤ４２を有するＬＥＤ基板３を備えた構成を例に挙げて説明したが、蛍光管などを光源として備えた各種の「帯状光源体」を採用して「表示装置」を構成することができる。
【符号の説明】
【０１０５】
１，１Ａ，５１  看板装置
２，２Ａ，５２  基体
３  ＬＥＤ基板
４，５４  導光板
５，５５  カバー板
６，５６  蓋体
１０，１０Ａ，６０  主材
１１，６１  本体部
１１ａ，１１ｂ，２５，２６，３３，５６ａ，６１ａ，６１ｂ，７３  リブ
１１ｃ  段部
１２，６２  縁板部
１３，６３  差込み用溝部
１４  取付け部
２０ａ，２０ｄ  第１部材
２０ｂ，２０ｅ  第２部材
２０ｃ  第３部材
２１  ネジ
２２  ナット
３０，７０  ＬＥＤ取付け具
３１，７１  取付け部
３２，７２  基板取付け部
Ｆ４ａ，Ｆ４ｂ，Ｆ５，Ｆ１１ａ，Ｆ１１ｂ，Ｆ５４ａ，Ｆ５４ｂ，Ｆ５５，Ｆ６１  面
Ｆ４ｃ，Ｆ５４ｃ  端面
Ｓ１ａ，Ｓ１ｂ，Ｓ５１ａ，Ｓ５１ｂ  隙間
【図１】
2018054768.tif 000003
【図２】
2018054768.tif 000004
【図３】
2018054768.tif 000005
【図４】
2018054768.tif 000006
【図５】
2018054768.tif 000007
【図６】
2018054768.tif 000008
【図７】
2018054768.tif 000009
【図８】
2018054768.tif 000010
【図９】
2018054768.tif 000011
【図１０】
2018054768.tif 000012
【図１１】
2018054768.tif 000013
【図１２】
2018054768.tif 000014
【図１３】
2018054768.tif 000015
【図１４】
2018054768.tif 000016
【図１５】
2018054768.tif 000017
【図１６】
2018054768.tif 000018
【図１７】
2018054768.tif 000019
【図１８】
2018054768.tif 000020
【図１９】
2018054768.tif 000021
【図２０】
2018054768.tif 000022
【図２１】
2018054768.tif 000023